(57)【要約】【課題】車両減速時に空調装置関連部品の作動頻度の無駄な増加を防止するようにした空調装置の制御装置を提供することである。【解決手段】空調装置の制御装置であって、エンジンの回転数又は変速機の入力軸回転数を検出する回転数検出ユニットと、車両の減速走行時にエンジン回転数又は変速機の入力軸回転数が予め定められた燃料カット回転数以上のときに、エンジンへ供給する燃料をカットする燃料カット制御ユニットを含んでいる。空調装置の制御装置は更に、車両の減速走行時に回転数検出ユニットにより検出される回転数が燃料カット回転数よりも所定値以上高いことを条件に、コンプレッサを作動させてエバポレータの温度を制御する減速空調制御装置を含んでいる。【選択図】図２   
2005119386.tif 000002
【特許請求の範囲】
【請求項１】
エンジンにより駆動されるコンプレッサとエバポレータを有する車両に搭載された空調装置の制御装置であって、
車両の減速走行時を判定する減速判定手段と、
前記エンジンの回転数又は変速機の入力軸回転数を検出する回転数検出手段と、
前記車両の減速走行時に前記エンジン回転数又は変速機の入力軸回転数が予め定められた燃料カット回転数以上の時に、前記エンジンへ供給する燃料をカットする燃料カット制御手段と、
前記車両の減速走行時に前記回転数検出手段により検出される回転数が前記燃料カット回転数よりも第１の所定値以上高いことを条件に、前記コンプレッサを作動させて前記エバポレータの温度を制御する減速空調制御装置と、
を具備したことを特徴とする空調装置の制御装置。
【請求項２】
前記変速機は運転状態に応じて自動的に変速を行う自動変速機として構成され、
車速を検出する車速検出手段と、
車両の減速走行中に車速の低下に伴って前記自動変速機により現在のシフト位置からダウンシフトが開始されるダウンシフト車速を求めるダウンシフト車速算出手段を更に具備し、
前記減速空調制御装置は、前記車速検出手段により検出される車速が前記ダウンシフト車速よりも第２の所定値以上高いことを条件に、前記コンプレッサを作動させて前記エバポレータの温度を制御することを特徴とする請求項１記載の空調装置の制御装置。
【請求項３】
前記変速機はロックアップクラッチ付トルクコンバータと、運転状態に応じて該ロックアップクラッチの締結容量を制御するロックアップ制御装置を有しており、
前記車両の減速走行時に前記エンジン回転数又は変速機入力軸回転数に応じて、前記ロックアップクラッチの締結を解除するロックアップ作動下限回転数を算出するロックアップ作動下限回転数算出手段を更に具備し、
前記減速空調制御装置は、前記回転数検出手段により検出される回転数が前記ロックアップ作動下限回転数よりも第３の所定値以上高いことを条件に、前記コンプレッサを作動させて前記エバポレータの温度を制御することを特徴する請求項２記載の空調装置の制御装置。
【請求項４】
前記第１乃至第３の所定値は前記車両の減速走行中における前記変速機の減速比が大きいほど大きい値に設定されることを特徴とする請求項１〜３の何れかに記載の空調装置の制御装置。
【請求項５】
前記減速空調制御装置は、前記車両の減速走行時の車速が第４の所定値以上高いことを条件に、前記コンプレッサを作動させて前記エバポレータの温度を制御することを特徴とする請求項２又は３記載の空調装置の制御装置。
【請求項６】
前記減速空調制御装置は、前記車両の減速走行時における前記エバポレータの温度が第５の所定値以上高いか若しくは該エバポレータの温度がその目標温度よりも第６の所定値以上高いことを条件に、前記コンプレッサを作動させて前記エバポレータの温度を制御することを特徴とする請求項１〜５の何れかに記載の空調装置の制御装置。
【請求項７】
前記減速空調制御装置による前記エバポレータの温度制御の終了から所定時間の間、再度前記減速空調制御装置による前記エバポレータの温度制御を行うことを禁止する第１禁止手段を更に具備したことを特徴とする請求項１〜６の何れかに記載の空調装置の制御装置。
【請求項８】
前記減速空調制御装置による前記エバポレータの温度制御により、前記コンプレッサの作動割合を増加した後に該コンプレッサの作動割合を減少した場合には、同一の減速走行中には再度前記コンプレッサの作動割合の増加を禁止する第２禁止手段を更に具備したことを特徴とする請求項１〜７の何れかに記載の空調装置の制御装置。
【発明の詳細な説明】
【技術分野】
【０００１】
本発明は、車両に搭載された空調装置の制御装置に関する。
【背景技術】
【０００２】
従来の車両用自動変速機として、トルクコンバータ内にその入力軸と出力軸とを機械的に直結可能な油圧式のロックアップクラッチを設け、一定の条件下で前記ロックアップクラッチを締結することによりトルクコンバータの効率を向上させることが行われている。
【０００３】
また、このロックアップクラッチを利用し、減速時にロックアップクラッチを締結することにより、駆動輪側からの逆駆動力をエンジン側に伝えてエンジン回転の急激な低下を抑制することにより、減速時に所定の復帰回転数になるまで行われる燃料カットを長い時間継続させ、燃費の向上を図ることが行われている。
【０００４】
実開平2−５００３８号公報には、減速走行中の燃料カット時に空調装置（以下エアコンと略称する）をカットする、或いはそのコンプレッサの負荷を低減するエンジンの減速制御装置が開示されている。このように、燃料カット時にエアコン負荷を低減することで、燃料カットをエンジンのより低回転、低車速まで継続させることができる。
【０００５】
また、特開昭５８−４７６２０号には、車両の減速走行時に設定エンジン回転数以上でエアコンのコンプレッサの稼働率を増大させることにより、車両の減速エネルギーをコンプレッサによって吸収することが可能な車両用空気調和装置が開示されている。
【特許文献１】実開平２−５００３８号公報
【特許文献２】特開昭５８−４７６２０号公報
【発明の開示】
【発明が解決しようとする課題】
【０００６】
実開平２−５００３８号公報に記載されているように、エアコン負荷を低減して燃料カットを継続するには、通常ロックアップ制御を作動させ、燃料カットをしてもエンジン回転数を高い状態に維持する必要がある。しかし、ロックアップ制御は車両の状態によっては作動できない場合がある。
【０００７】
ロックアップ制御を作動できない場合に、エアコンをカット或いはエアコンの負荷を低減して燃料カットしても、ごく短時間にエンジン回転数が低下し、更に燃料カットからの復帰でエンジン回転数が再度上昇して不快な音を発生することがある。
【０００８】
さらには、無用なエアコンカットをすることでエアコンのコンプレッサの作動クラッチや、作動クラッチを制御するリレーなどに無用な負荷を与え耐久性に悪影響を及ぼすことになる。
また、特開昭５８−４７６２０号公報に記載されているように、減速時に予め設定されたエンジン回転数以上でエアコンのコンプレッサをオンさせる制御では、車両が減速状態になるたび又はギヤ比が変化する毎にエアコンのコンプレッサがオン又はオフを繰り返してしまう。その結果、エアコンのコンプレッサの作動クラッチや、作動クラッチを制御するリレーなどの関連部品への負荷が過大となり、故障の原因となる。
【０００９】
よって、本発明の目的は、車両減速時に空調装置関連部品の作動頻度の無駄な増加を防止するようにした空調装置の制御装置を提供することである。
【課題を解決するための手段】
【００１０】
請求項１記載の発明によると、エンジンにより駆動されるコンプレッサとエバポレータを有する車両に搭載された空調装置の制御装置であって、車両の減速走行時を判定する減速判定手段と、前記エンジンの回転数又は変速機の入力軸回転数を検出する回転数検出手段と、前記車両の減速走行時に前記エンジン回転数又は変速機の入力軸回転数が予め定められた燃料カット回転数以上の時に、前記エンジンへ供給する燃料をカットする燃料カット制御手段と、前記車両の減速走行時に前記回転数検出手段により検出される回転数が前記燃料カット回転数よりも第１の所定値以上高いことを条件に、前記コンプレッサを作動させて前記エバポレータの温度を制御する減速空調制御装置と、を具備したことを特徴とする空調装置の制御装置が提供される。
【００１１】
第１の所定値はコンプレッサを充分な時間作動させるための回転数であり、変速段に応じて設定を変更し、低速段側ほど高く設定する。例えば、第１の所定値は６００〜１０００ｒｐｍ（２速：１０００ｒｐｍ，３速：８００ｒｐｍ，４速：６００ｒｐｍ）である。
【００１２】
請求項２記載の発明によると、変速機は運転状態に応じて自動的に変速を行う自動変速機として構成され、空調装置の制御装置は更に、車速を検出する車速検出手段と、車両の減速走行中に車速の低下に伴って自動変速機により現在のシフト位置からダウンシフトが開始されるダウンシフト車速を求めるダウンシフト車速算出手段を具備している。
【００１３】
そして、減速空調制御装置は、車速検出手段により検出される車速がダウンシフト車速よりも第２の所定値以上高いことを条件に、コンプレッサを作動させてエバポレータの温度を制御する。
【００１４】
第２の所定値はコンプレッサ作動指令してからコンプレッサが応答するまでの時間相当の車速であり、例えば、ヒステリシスが設定されて、コンプレッサ作動開始判定は１５〜２０ｋｍ／ｈ、作動終了判定は３〜８ｋｍ／ｈである。
【００１５】
請求項３記載の発明によると、変速機はロックアップクラッチ付トルクコンバータと、運転状態に応じてロックアップクラッチの締結容量を制御するロックアップ制御装置を有している。
【００１６】
空調装置の制御装置は更に、車両の減速走行時にエンジン回転数又は変速機入力軸回転数に応じて、ロックアップクラッチの締結を解除するロックアップ作動下限回転数を算出するロックアップ作動下限回転数算出手段を具備している。
【００１７】
そして、減速空調制御装置は、回転数検出手段により検出される回転数がロックアップ作動下限回転数よりも第３の所定値以上高いことを条件に、コンプレッサを作動させてエバポレータの温度を制御する。
【００１８】
第３の所定値はコンプレッサ作動指令してからコンプレッサが応答するまでの時間相当回転数であり、速度段に応じて設定を変更し、低速度段側ほど高く設定する。例えば、ヒステリシスが設定されて、開始は６００〜１０００ｒｐｍであり、終了は３０〜７０ｒｐｍ（２速：７０ｒｐｍ，３速：５０ｒｐｍ，４速：３０ｒｐｍ）である。
【００１９】
請求項４記載の発明によると、第１乃至第３の所定値は車両の減速走行中における変速機の減速比が大きいほど大きい値に設定される空調装置の制御装置が提供される。
【００２０】
請求項５記載の発明によると、減速空調制御装置は、車両の減速走行時の車速が第４の所定値以上より高いことを条件に、コンプレッサを作動させてエバポレータの温度を制御する。第４の所定値は加減速頻度の少ない車速領域であり、例えば、５０ｋｍ／ｈ以下である。
【００２１】
請求項６記載の発明によると、減速空調制御装置は、車両の減速走行時におけるエバポレータの温度が第５の所定値以上高いか若しくはエバポレータの温度がその目標温度よりも第６の所定値以上高いことを条件に、コンプレッサを作動させてエバポレータの温度を制御する。
【００２２】
第５の所定値はコンプレッサを作動してもエバポレータが凍結しない程度の温度、若しくは不快な低温の冷気が送風口から出ない程度の温度であり、例えば１０℃である。第６の所定値はコンプレッサを作動してもエバポレータの目標下限温度（例えば６℃）より充分高く、コンプレッサ減速作動中に目標温度を下回らない程度の温度差であり、例えば４℃である。
【００２３】
請求項７記載の発明によると、空調装置の制御装置は更に、減速空調制御装置によるエバポレータの温度制御の終了から所定時間の間、再度減速空調制御装置によるエバポレータの温度制御を行うことを禁止する第１禁止手段を具備している。
【００２４】
ここで、所定時間は加減速を繰り返してコンプレッサをオン／オフしても、蓄熱効果の小さい運転状況ではコンプレッサの作動を回避するための時間であり、例えば３０秒程度コンプレッサの再作動を禁止する。
【００２５】
請求項８記載の発明によると、空調装置の制御装置は更に、減速空調制御装置によるエバポレータの温度制御により、コンプレッサの作動割合を増加した後にコンプレッサの作動割合を減少した場合には、同一の減速走行中には再度コンプレッサの作動割合の増加を禁止する第２禁止手段を具備している。
【発明の効果】
【００２６】
請求項１記載の発明によると、車両の減速走行時にコンプレッサを作動させてエバポレータの温度を制御する制御を開始する条件を、エンジン回転数又は変速機の入力軸回転数が、燃料カット回転数よりも第１の所定値以上高い場合に設定している。
【００２７】
すなわち、この制御が作動した直後に燃料カットが中止され、制御が終了してしまうような場合にはこの制御を作動させない。これにより、空調装置関連部品の作動頻度の無駄な増加を防止することができ、これらの部品の故障の抑制を図ることができる。
【００２８】
請求項２記載の発明によると、コンプレッサを作動させてエバポレータの温度を制御する制御を開始する条件は、車速がダウンシフト車速よりも第２の所定値以上高い場合である。
【００２９】
すなわち、この制御が作動した直後にダウンシフトとなり、商品性上コンプレッサの稼動割合を下げなければならず、すぐにこの制御は終了してしまうような場合は作動させないようにする。これにより、空調装置関連部品の作動頻度の無駄な増加を防止することができ、関連部品の故障の抑制を図ることができる。
【００３０】
請求項３記載の発明によると、コンプレッサを作動させてエバポレータの温度を制御する制御を開始する条件は、エンジン回転数又は変速機の入力軸回転数が、ロックアップ作動下限回転数よりも第３の所定値以上高い場合である。
【００３１】
すなわち、この制御が作動した直後にロックアップクラッチがオフとなり、エンジン回転が低下して燃料カットが中止され、すぐに制御が終了してしまうような場合にはこの制御を作動させない。これにより、空調装置関連部品の作動頻度の無駄な増加を防止することができ、空調装置の故障の抑制を図ることができる。
【００３２】
請求項４記載の発明によると、第１乃至第３の所定値は車両の減速走行中における変速機の減速比が大きいほど大きい値に設定される。即ち、減速比が大きいほど車速変化に対するエンジン回転数変化又は変速機の入力軸回転数変化が大きく、短時間で回転が低下し易い。よって、減速比が大きいほど第１乃至第３の所定値を大きく設定して、空調装置の稼動時間を確保する。
【００３３】
請求項5記載の発明によると、減速走行時の車速が第４の所定値以上の場合に、コンプレッサを作動させてエバポレータの温度を制御するための作動を許可することを特徴とする。即ち、アクセルペダル作動頻度が高く、制御の作動時間を確保できない場合の多い低車速領域での作動を回避する。これにより、空調装置関連部品の故障の抑制を図ることができる。
【００３４】
請求項６記載の発明によると、エバポレータが冷えすぎて、エバポレータの温度制御が開始してすぐに中止されることを防止することができる。これにより、空調装置関連部品の作動頻度の無駄な増加を防止することができ、空調装置関連部品の故障の抑制を図ることができる。
【００３５】
請求項７記載の発明によると、短時間でアクセルペダルのオン・オフを繰り返すような場合、効果のないエバポレータの温度制御の作動の繰り返しを防止することができる。これにより、空調装置関連部品の故障の抑制を図ることができる。
【００３６】
請求項８記載の発明によると、変速によるエンジン又は変速機入力軸の回転変動ごとに、コンプレッサがオン・オフを繰り返すことを防止することができ、空調装置関連部品の作動頻度の無駄な増加を防止することができる。これにより、空調装置関連部品の故障の抑制を図ることができる。
【発明を実施するための最良の形態】
【００３７】
以下、本発明の実施形態を図面を参照して詳細に説明する。図１は本発明の実施形態に係る車両に搭載された自動変速機及びその制御装置の構成を示す図であり、内燃エンジン２のクランク軸４には自動変速機６が接続されている。
【００３８】
自動変速機６は、クランク軸４に連結され、ポンプインペラ８ａ及びタービンランナ８ｂを有するトルクコンバータ８と、ポンプインペラ８ａとタービンランナ８ｂと連結するためのロックアップクラッチ１０と、トルクコンバータ８の出力側に連結される多段変速ギヤ機構１２と、ロックアップクラッチ１０及び多段変速ギヤ機構１２の動作を制御する油圧制御機構１４とを備えている。
【００３９】
油圧制御機構１４は、ロックアップクラッチ１０の係合／非係合を切り替えるオンオフ型のソレノイド弁（以下「Ａソレノイド弁」という）１４ａと、Ａソレノイド弁１４ａがオンされ、ロックアップクラッチ１０が係合状態にあるときの係合圧を制御するデューティ制御型のソレノイド弁（以下「Bソレノイド弁」という）１４ｂと、ギヤ機構１２のシフト位置（ギヤ比）を制御する変速アクチュエータ１４ｃとを含んでいる。
【００４０】
Ａソレノイド弁１４ａ，Ｂソレノイド１４ｂ及び変速アクチュエータ１４ｃは、自動変速機制御用の電子コントロールユニット（以下「ＥＣＵ」という）１６に接続されており、ＥＣＵ１６はＡソレノイド弁１４ａ及びＢソレノイド弁１４ｂを介してロックアップクラッチ１０の係合状態の制御を行うと共に、変速アクチュエータ１４ｃを介して多段変速ギヤ機構１２のシフト位置の制御を行う。
【００４１】
自動変速機６には、多段変速ギヤ１２のシフト位置ＳＲＴＤＧを検出するシフト位置センサ１８が設けられており、その検出信号はＥＣＵ１６に供給される。
【００４２】
エンジン２の出力は、クランク軸４からトルクコンバータ８、ギヤ機構１２、差動装置２０を順次経て、左右の駆動輪２２，２４に伝達され、これらを駆動する。また、自動変速機６の出力側には、当該車両の車速ＶＰを検出する車速センサ２６が設けられており、その検出信号はＥＣＵ１６に供給される。
【００４３】
エンジン２には、吸気管２８の途中に設けられたスロットル弁３０の開度θＴＨを検出するスロットル弁開度センサ３２と、エンジン冷却水温ＴＷを検出するエンジン水温センサ３４と、エンジン回転数ＮＥを検出するエンジン回転数センサ３６が設けられており、これらのセンサの検出信号はＥＣＵ１６に供給される。エンジン回転数センサ３６は、クランク軸４の１８０度回転毎に所定クランク角度位置でＴＤＣ信号パルスを出力し、ＥＣＵ１６に供給する。
【００４４】
また、スロットル弁３０には例えば電動モータからなるスロットルアクチュエータ３８が連結されており、このスロットルアクチュエータ３８はＥＣＵ１６に接続されている。ＥＣＵ１６には、車両のアクセルペダルの踏み込み量（以下「アクセル開度」という）ＡＰＦＺを検出するアクセル開度センサ４０が接続されており、その検出信号がＥＣＵ１６に供給される。
【００４５】
ＥＣＵ１６はアクセル開度ＡＰＦＺ等に応じて、スロットル弁開度θＴＨを制御する。即ち、本実施形態ではアクセルペダルとスロットル弁３０とは機械的に連結されておらず、アクセル開度ＡＰ及び他の運転状態に応じてスロットル弁開度θＴＨが制御される。
【００４６】
ＥＣＵ１６には更に、自動変速機６の動作モードを選択するための選択レバー位置を検出する選択レバー位置センサ４２及びブレーキペダルの踏み込みを検出するブレーキスイッチ４４が接続されており、それらの検出信号はＥＣＵ１６に供給される。
【００４７】
尚、ＥＣＵ１６は、エンジン２に供給する燃料量（燃料噴射弁の開弁時間）及び点火時期等を制御する図示しないエンジン制御用電子コントロールユニットに接続されており、制御パラメータ情報を相互に伝達するように構成されている。
【００４８】
ＥＣＵ１６は、上述した各種センサからの入力信号波形を整形して電圧レベルを所定レベルに修正し、アナログ信号値をデジタル信号値に変換する等の機能を有する入力回路と、中央処理回路（ＣＰＵ）と、ＣＰＵで実行される各種演算プログラムや後述するシフトマップ及び演算結果等を記憶するＲＯＭ及びＲＡＭからなる記憶回路と、Ａソレノイド弁１４ａ、Ｂソレノイド弁１４ｂ及び変速アクチュエータ１４ｃに駆動信号を出力する出力回路とを備えている。
【００４９】
ＥＣＵ１６は、各種センサの検出信号に基づいてロックアップクラッチ１０の係合状態、シフト位置及びスロットル弁開度θＴＨの制御を行う。尚、以下にフローチャートを参照して説明する処理は、ＥＣＵ１６のＣＰＵで実行されるものである。
【００５０】
図２を参照すると、本発明の第１の原理ブロック図が示されている。空調装置４６はエンジン２により駆動されるコンプレッサと、熱交換を行うエバポレータを有している。変速機６´は手動変速機又は自動変速機の何れでもよい。
【００５１】
本発明の空調装置の制御装置は、車両の減速走行時を判定する減速判定手段４８と、エンジン２の回転数又は変速機６´の入力軸回転数を検出する回転数検出手段５０と、車両の減速走行時にエンジン回転数又は変速機６´の入力軸回転数が予め定められた燃料カット回転数以上の時に、エンジン２へ供給する燃料をカットする燃料カット制御手段５２を含んでいる。減速判定手段４８は、例えばスロットル弁がオフの時、減速走行時と判定する。
【００５２】
空調装置の制御装置は更に、車両の減速走行時に回転数検出手段５０により検出される回転数が燃料カット回転数よりも第１の所定値以上高いことを条件に、空調装置４６のコンプレッサを作動させてエバポレータの温度を制御する減速空調制御装置５４を含んでいる。
【００５３】
本発明によると、車両の減速走行時に回転数検出手段５０により検出される回転数が燃料カット回転数よりも第１の所定値以上高いことを条件に、減速空調制御装置５４がコンプレッサを作動させてエバポレータの温度を制御する。
【００５４】
ここで、第１の所定値はコンプレッサを充分な時間作動させるための回転数であり、速度段に応じて設定を変更し、低速度段側ほど高く設定する。例えば、第１の所定値を６００〜１０００ｒｐｍ（２速：１０００ｒｐｍ，３速：８００ｒｐｍ，４速：６００ｒｐｍ）に設定する。
【００５５】
よって、エバポレータの温度制御が作動した直後に燃料カットが中止され、エバポレータの温度制御が終了してしまうような場合にはこの制御を作動させない。これにより、空調装置関連部品の作動頻度の無駄な増加を防止することができ、空調装置関連部品の故障の抑制を図ることができる。
【００５６】
図３は本発明の第２の原理ブロック図を示している。好ましくは、変速機は運転状態に応じて自動的に変速を行う自動変速機６として構成される。本発明の空調装置の制御装置は更に、車速を検出する車速検出手段５６と、車両の減速走行中に車速の低下に伴って自動変速機６により現在のシフト位置からダウンシフトが開始されるダウンシフト車速を求めるダウンシフト車速算出手段５８を含んでいる。
【００５７】
そして、減速空調制御装置５４は、車速検出手段５６により検出される車速がダウンシフト車速よりも第２の所定値以上高いことを条件に、空調装置４６のコンプレッサを作動させてエバポレータの温度を制御する。
【００５８】
ここで、第２の所定値はコンプレッサ作動指令してコンプレッサが応答するまでの時間相当の車速であり、例えばヒステリシスが設定されて、コンプレッサ作動開始判定は１５〜２０ｋｍ／ｈ、作動終了判定は３〜８ｋｍ／ｈである。
【００５９】
好ましくは、自動変速機６はロックアップクラッチ付トルクコンバータ８と、運転状態に応じてロックアップクラッチ１０の締結容量を制御するロックアップ制御装置６０を有している。
【００６０】
空調装置の制御装置は更に、車両の減速走行時にエンジン回転数又は変速機入力軸回転数に応じて、ロックアップクラッチ１０の締結を解除するロックアップ作動下限回転数を算出するロックアップ作動下限回転数算出手段６２を含んでいる。
【００６１】
そして、減速空調制御装置５４は、回転数検出手段５０により検出される回転数がロックアップ作動下限回転数よりも第３の所定値以上高いことを条件に、空調装置４６のコンプレッサを作動させてエバポレータの温度を制御する。
【００６２】
ここで、第３の所定値はコンプレッサ作動指令してからコンプレッサが応答するまでの時間相当回転数であり、変速段に応じて設定を変更し、低速度段側ほど高く設定する。例えば、ヒステリシスが設定されて、開始は６００〜１０００ｒｐｍであり、終了は３０〜７０ｒｐｍ（２速：７０ｒｐｍ，３速：５０ｒｐｍ，４速：３０ｒｐｍ）である。
【００６３】
好ましくは、第１乃至第３の所定値は車両の減速走行中における変速機の減速比が大きいほど大きい値に設定される。低いギヤ段では、エンジン回転数が短時間で低回転になるため、同じ回転数から空調装置４６のコンプレッサを作動させると、コンプレッサの作動時間が短くなる。よって、エバポレータを充分冷却できるようにするため、低いギヤ段ほど、コンプレッサの作動開始許可回転数を高くする。
【００６４】
減速空調制御装置５４は、車両の減速走行時の車速が第４の所定値以上高いことを条件に、空調装置４６のコンプレッサを作動させてエバポレータの温度を制御する。ここで、第４の所定値は加減速頻度の少ない車速領域であり、例えば５０ｋｍ／ｈ以下である。
【００６５】
また、減速空調制御装置５４は、車両の減速走行時におけるエバポレータの温度が第５の所定値以上高いか若しくはエバポレータの温度がその目標温度よりも第６の所定値以上高いことを条件に、空調装置４６のコンプレッサを作動させてエバポレータの温度を制御する。
【００６６】
ここで、第５の所定値はコンプレッサを作動してもエバポレータが凍結しない程度の温度、若しくは不快な低温の冷気が送風口から出ない程度の温度であり、例えば１０℃である。
【００６７】
第６の所定値はコンプレッサを作動してもエバポレータの目標下限温度（例えば６℃）より充分高く、コンプレッサ減速作動中に目標温度を下回らない程度の温度差であり、例えば４℃である。
【００６８】
好ましくは、空調装置の制御装置は更に、減速空調制御装置５４によるエバポレータの温度制御の終了から所定時間の間、再度減速空調制御装置５４によるエバポレータの温度制御を行うことを禁止する第１禁止手段を含んでいる。
【００６９】
ここで、所定時間は加減速を繰り返してコンプレッサをオン／オフしても、蓄熱効果の小さい運転状況ではコンプレッサ作動を回避するための時間であり、例えば３０秒程度コンプレッサの再作動を禁止する。
【００７０】
更に好ましくは、空調装置の制御装置は更に、減速空調制御装置５４によるエバポレータの温度制御により、コンプレッサの作動割合を増加した後にその作動割合を減少した場合には、同一の減速走行中には再度コンプレッサの作動割合の増加を禁止する第２禁止手段を含んでいる。
【００７１】
次に、図４のフローチャートを参照して、本発明実施形態の減速時の空調装置協調制御について詳細に説明する。まず、ステップ１０（図４ではＳ１０と記述する）で、スロットルがオフか否かを判定する。スロットルがオフの場合には、ステップ１１へ進んでエアコンカット信号があるか否かを判定する。
【００７２】
ステップ１０でスロットルがオンと判定された場合には、ステップ１２へ進んで再作動制限タイマーが０か否かを判定する。ステップ１２で肯定判定の場合には、ステップ１３へ進んで再作動防止フラグに０を代入する。即ち、再作動防止フラグを０にリセットする。
【００７３】
ステップ１１でエアコンカット信号がないと判定された場合には、ステップ１４へ進んで車速Ｖが所定車速Ｖ１より大きいか否かを判定する。所定車速Ｖ１は、例えば４０〜５０ｋｍ／ｈである。
【００７４】
ステップ１４で車速Ｖが所定車速Ｖ１より大きいと判定された場合には、ステップ１５へ進んでエバポレータの温度が所定値より大きいか否かを判定する。この所定値は例えば６℃〜８℃に設定する。
【００７５】
ステップ１５が肯定判定の場合には、ステップ１６へ進んで燃料カット中か否かを判定する。ステップ１６で燃料カット中と判定された場合には、ステップ１７へ進んで本制御、即ち減速時のエアコン協調制御が非作動中か否かを判定する。
【００７６】
ステップ１７で本制御が非作動中と判定された場合には、ステップ１８へ進んで制御を開始する時の所定値をセットする。この所定値は変速機の減速比が大きいほど大きい値にセットする。
【００７７】
例えば、所定値を２速の場合には１０００ｒｐｍ、３速の場合には８００ｒｐｍ、４速の場合には６００ｒｐｍにセットする。これらの所定値はコンプレッサを充分な時間作動させるための回転数である。
【００７８】
ステップ１７で本制御が作動中と判定された場合には、ステップ１９へ進んで制御を終了する時の所定値をセットする。この所定値も変速機の減速比が大きいほど大きい値にセットする。
【００７９】
例えば、所定値を２速の場合には５００ｒｐｍ、3速の場合には２００ｒｐｍ、４速の場合には０にセットする。即ち、ローギヤで減速感が問題となるような場合は、この所定値に高い値を入れてコンプレッサを早めに切るようにする。
【００８０】
ステップ１８及び１９で所定値をセットしてから、ステップ２０へ進んで変速機の入力軸回転数ＮＭが、上記所定値＋燃料カットの下限回転数ＮＦＣ又は減速ロックアップ制御を中止する回転数ＮＬＣの何れか大きいほうより大きいか否かを判定する。
【００８１】
ステップ２０が肯定判定の場合には、ステップ２１へ進んで再作動防止フラグが０か否かを判定する。再作動防止フラグが０の場合、即ちスロットルがオフされてから本制御が１回も作動されていないと判定された場合には、ステップ２２へ進んでダウンシフト車速を算出する。
【００８２】
ステップ２１で再作動防止フラグが１にセットされている場合には、本処理を終了する。これは、減速中エアコンの稼動割合を一旦増加させた後稼動割合を減少させた場合は、同一の減速中（スロットルオフ中）には、再度エアコンの稼動割合を増加させることを禁止するものである。
【００８３】
ステップ２２でダウンシフト車速を算出した後、ステップ２３へ進んで車速Ｖがダウンシフト車速＋所定値より大きいか否かを判定する。この所定値は、コンプレッサに作動指令してからコンプレッサが応答するまでの時間に相当する車速であり、例えば５ｋｍ／ｈである。
【００８４】
ステップ２３が肯定判定の場合には、ステップ２４へ進んでエアコンオン要望信号を１にセットする。これにより、エアコン制御の他のルーティンにおいて、エアコンのコンプレッサをオンにする或いはその稼動率を増大する他の条件が整っていれば、エアコンをオンにするか或いはその稼動率を増大する。
【００８５】
次いで、ステップ２５へ進んで再作動制限タイマーを所定時間にセットする。このタイマーは減算タイマーであり、本制御が一度作動してから所定時間の間再作動させないように制御装置する。
【００８６】
これは、短時間でアクセルペダルのオン・オフを繰り返すような運転の場合、効果のない本制御の作動の繰り返しを防止するものであり、これによりエアコン関連部品の作動頻度の無駄な増加を抑制することができる。
【００８７】
次いで、ステップ２６へ進んで再作動防止フラグを１にセットする。これは、ステップ２１に関連して説明したように、同一の減速中（アクセルペダルオフ中）には、本制御が一旦入って終了した場合にはその再作動を防止するものであり、変速による回転変動ごとに、エアコンのオン・オフを繰り返すことを防止するものである。
【００８８】
一方、ステップ１１が肯定判定の場合、及びステップ１２，１４，１５，１６，２０及び２３の判定が否定判定の場合には、ステップ２７へ進んでエアコンオン要望信号を０にリセットして、本制御を終了する。
【００８９】
図５を参照すると、本発明実施形態の減速時エアコン協調制御のタイムチャートが示されている。破線６４は減速時エアコン作動許可回転数であり、この許可回転数は燃料カット作動下限回転数＋所定値で決定される。この所定値は図４のフローチャートのステップ１８で変速段に応じてセットされる。
【００９０】
本発明の減速時エアコン協調制御は、変速機の入力軸回転数がこのエアコン作動許可回転数６４より高い場合にコンプレッサを作動させる。このように、コンプレッサの稼動程度を増加させてよい時間を充分確保できるかどうかを判断し、充分確保できる場合にだけコンプレッサを作動させることにより、エアコン関連部品の作動頻度の無駄な増加を防止する。
【００９１】
すなわち、燃料カット下限回転付近でアクセルペダルをオフした場合、エアコンのコンプレッサを作動させても、燃料カットを継続するためにはすぐにコンプレッサをオフしなければならない。
【００９２】
その結果、エアコンのコンプレッサがオン直後にオフし、コンプレッサ負荷トルク変動が発生し、商品性上問題となる上エバポレータを充分冷却できない。よって、このような場合には、本発明のエアコン協調制御では、無理にコンプレッサを作動させないように制御する。
【００９３】
図６はオン・オフ作動型エアコンの減速時のコンプレッサ作動のタイムチャートを示しており、図７は可変容量型エアコンの減速時コンプレッサ作動のタイムチャートを示している。
【００９４】
図６のタイムチャートから明らかなように、オン・オフ作動型エアコンでは、エバポレータの温度は目標上限温度と目標下限温度の間に収まるように制御される。一方、可変容量型エアコンでは、エバポレータの温度はその目標温度に収斂するように制御される。
【図面の簡単な説明】
【００９５】
【図１】車両に搭載された自動変速機及びその制御装置の構成を示す図である。
【図２】本発明制御装置の第１の原理構成を示すブロック図である。
【図３】本発明制御装置の第２の原理構成を示すブロック図である。
【図４】本発明実施形態の減速時エアコン協調制御処理のフローチャートである。
【図５】本発明制御装置のタイムチャートである。
【図６】オン・オフ作動型エアコンの減速時のコンプレッサの作動を示すタイムチャートである。
【図７】可変容量型エアコンの減速時のコンプレッサの作動を示すタイムチャートである。
【符号の説明】
【００９６】
２    エンジン
６    自動変速機
８    トルクコンバータ
１０    ロックアップクラッチ
１２    多段変速ギヤ機構
１４    油圧制御機構
１６    電子コントロールユニット（ＥＣＵ）
２６    車速センサ
２８    吸気管
３２    スロットル弁開度センサ
３６    エンジン回転数センサ
４０    アクセル開度センサ
【図１】
2005119386.tif 000003
【図２】
2005119386.tif 000004
【図３】
2005119386.tif 000005
【図４】
2005119386.tif 000006
【図５】
2005119386.tif 000007
【図６】
2005119386.tif 000008
【図７】
2005119386.tif 000009